(57)【要約】【課題】撮影時におけるレリーズボタン等の操作性を向上させる。【解決手段】カメラ付き携帯電話機１をホールドしながらレリーズボタンとズームボタンの操作ができるように、これらのボタンを配設させることとした。例えば、送話器ユニット２の側面部に設けられている第２レリーズボタン１１、第２テレ変倍キー１２及び第２ワイド変倍キー１３を使用して撮影する場合には、撮影者は、左手で携帯電話機１をホールドしつつ、左手の人差し指で第２レリーズボタン１１を操作し、親指で第２テレ変倍キー１２及び第２ワイド変倍キー１３を操作することができる。このように、撮影者は、移動させることなくカメラ付き携帯電話機１をホールドしながら撮影することができ、レリーズボタン等の操作性を向上させることが可能になる。【選択図】図１
2007133028.tif 000002
【特許請求の範囲】
【請求項１】
本体の表面に露呈するように配設されたレリーズボタン及び被写体画像のズーム倍率を操作するズーム操作部を有する操作手段と、前記操作手段の制御を行うカメラ制御部を有する制御手段とを備えたカメラ付き携帯電話機において、
前記カメラ付き携帯電話機の支持及び前記操作手段の操作を撮影者が片手で行えるように、前記本体の表面に前記レリーズボタン及び前記ズーム操作部を配設したことを特徴とするカメラ付き携帯電話機。
【請求項２】
前記本体は、折り畳まれた第１状態と展開された第２状態との間で折り畳み自在に形成され、
前記操作手段は複数設けられ、
前記本体が前記第１状態になったことを検出し、検出信号を出力する検出手段と、
前記検出信号の出力に基づいて、前記本体が前記第１状態になっているか否かを判定する判定手段と、
前記本体が前記第１状態であると前記判定手段によって判定されたときに、複数配設されたレリーズボタンのうち少なくともいずれか一つのレリーズボタンと、このレリーズボタンと一対一に対応したズーム操作部における操作を無効化する無効化手段とを備えたことを特徴とする請求項１記載のカメラ付き携帯電話機。
【請求項３】
前記カメラ付き携帯電話機には、
複数のズーム操作部と対応付けられているレリーズボタンが少なくとも一つ設けられ、
前記無効化手段は、前記一つのレリーズボタンと対応する前記複数のズーム操作部のうち少なくともいずれか一つの操作を無効化することを特徴とする請求項２記載のカメラ付き携帯電話機。
【請求項４】
前記制御手段は、前記カメラ付き携帯電話機での撮影に関する複数のプログラム線図と、撮影時に使用される前記操作手段を認定し、その操作手段を使用した撮影に適したプログラム線図を設定するプログラム設定部とを有し、
前記カメラ制御部は、前記プログラム設定部によって設定されたプログラム線図に基づいて撮影することを特徴とする請求項１ないし３のいずれか一に記載のカメラ付き携帯電話機。
【発明の詳細な説明】
【技術分野】
【０００１】
本発明は、ズーム機能を有するカメラ機構を備えたカメラ付き携帯電話機に関し、さらに詳しくは、ズーム機能及びレリーズボタンを複数備えたカメラ付き携帯電話機に関する。
【背景技術】
【０００２】
カメラ機構を内蔵したカメラ付き携帯電話機（以下、携帯電話機という。）が普及している。携帯電話機の中には、折り畳みが可能な形態を有するものがある。このような携帯電話機は、受話器及び液晶モニタ（ＬＣＤモニタ）が配設されている受話器ユニットとダイヤルボタン等が配設されている送話器ユニットとが別個に形成されており、これらがヒンジによって取り付けられている。通常、折り畳み可能な携帯電話機は、相手先に電話をかける場合やメールの作成及び送受信を行う場合には展開した状態（以下、開状態という。）にし、携帯時には折り畳まれた状態（以下、閉状態という。）にして使用する。
【０００３】
ところで、携帯電話機にカメラが搭載された当初は、カメラ機構のレリーズボタンやズームボタンは、ダイヤルボタンが配設されている操作面に配設されているものがほとんどであった。したがって、折り畳み可能な携帯電話機が閉状態にあるときにはレリーズボタン及びズームボタンの上方に受話器ユニットが位置付けられているため、携帯電話機のカメラ機構を使用する場合には、携帯電話機を開状態にして使用しなければならなかった。ところが、近年は、携帯電話機を閉状態にしたまま撮影することができるものも出始めている。これらの携帯電話機は、レリーズボタンやズームボタンを送話器ユニットの側面に設けたり、ズームボタンを受話器ユニットに設けることによって、閉状態のままで撮影ができるようにしている。
【０００４】
しかし、撮影者は、常に閉状態で撮影するわけではなく、従来のように開状態にして撮影を行う場合もある。かかる場合に、レリーズボタン等が受話器ユニットや送話器ユニットの側面部等、携帯電話機が閉状態のときに使用しやすい位置のみにレリーズボタン等が配設されていたのでは、開状態にしてカメラ機構を使用する際に操作しづらいという問題があった。
【０００５】
そこで、このような問題点を解決するための一つの手法として、例えば特許文献１に記載されているものが挙げられる。特許文献１には、横位置での撮影にのみ使用されるレリーズボタン及びズーム操作ボタンと、縦位置での撮影にのみ使用されるレリーズボタン及びズーム操作手段とが配設されたデジタルカメラが記載されている。
【特許文献１】特開２００１−３６７７９号公報
【発明の開示】
【発明が解決しようとする課題】
【０００６】
しかしながら、特許文献１に記載されているデジタルカメラでは、縦位置及び横位置で撮影する場合には効果を発揮するものの、携帯電話機のように片手でカメラをホールドし、かつレリーズボタンやズームボタンの操作をすることが困難であるという問題がある。すなわち、特許文献１に記載されているデジタルカメラは、片方の手でズームボタン等の操作を行い、もう一方の手でカメラボディをホールドするように考えられている。このため、携帯電話機のように、カメラのホールド並びにレリーズボタン及びズームボタンの操作を片手で行う場合に特許文献１に記載された手法を適用するのは困難であるという問題がある。また、上記のようにして携帯電話機を用いて撮影した場合には、撮影した被写体画像にブレが生じやすく、クリアな画像を得ることができないという問題がある。
【０００７】
本発明は、上記問題点に鑑みてなされたものであり、その目的とするところは、カメラのホールドのみならず、レリーズボタン及びズームボタンの操作を片手で行えるようにしたカメラ付き携帯電話機を提供することにある。
【課題を解決するための手段】
【０００８】
上記問題点を解決するにあたり、本発明は、本体の表面に露呈するように配設されたレリーズボタン及び被写体画像のズーム倍率を操作するズーム操作部を有する操作手段と、前記操作手段の制御を行うカメラ制御部を有する制御手段とを備えたカメラ付き携帯電話機において、前記カメラ付き携帯電話機の支持及び前記操作手段の操作を撮影者が片手で行えるように、前記本体の表面に前記レリーズボタン及び前記ズーム操作部を配設したことを特徴とする。
【０００９】
なお、前記本体は、折り畳まれた第１状態と展開された第２状態との間で折り畳み自在に形成され、前記操作手段は複数設けられ、前記本体が前記第１状態になったことを検出し、検出信号を出力する検出手段と、前記検出信号の出力に基づいて、前記本体が前記第１状態になっているか否かを判定する判定手段と、前記本体が前記第１状態であると前記判定手段によって判定されたときに、複数配設されたレリーズボタンのうち少なくともいずれか一つのレリーズボタンと、このレリーズボタンと一対一に対応したズーム操作部における操作を無効化する無効化手段とを備えることが好ましい。
【００１０】
また、前記カメラ付き携帯電話機には、複数のズーム操作部と対応付けられているレリーズボタンが少なくとも一つ設けられ、前記無効化手段は、前記一つのレリーズボタンと対応する前記複数のズーム操作部のうち少なくともいずれか一つの操作を無効化することが好ましい。
【００１１】
また、前記制御手段は、前記カメラ付き携帯電話機での撮影に関する複数のプログラム線図と、撮影時に使用される前記操作手段を認定し、その操作手段を使用した撮影に適したプログラム線図を設定するプログラム設定部とを有し、前記カメラ制御部は、前記プログラム設定部によって設定されたプログラム線図に基づいて撮影することが好ましい。
【発明の効果】
【００１２】
本発明によれば、カメラ付き携帯電話機を片手でホールドしながらレリーズボタンやズーム操作部の操作が行えるようにレリーズボタン及びズーム操作手段を配設することとしたので、携帯電話機で撮影を行う場合の操作性を向上させることが可能になる。また、携帯電話機を第１状態（閉状態）にしたときに、携帯電話機に配設されているレリーズボタン及びズーム操作手段から出力される信号の少なくともいずれか一つを無効化することとしたので、閉状態での撮影における誤動作を防止することが可能になる。また、一つのレリーズボタンに対して複数のズーム操作手段を対応付けることによって、レリーズボタンやズーム操作手段の操作性をさらに向上させることが可能になる。また、レリーズボタンやズーム操作手段を配設する箇所によっては、携帯電話機を閉状態にしたまま撮影することができるので、さらに操作性を向上させることが可能になる。また、制御手段が複数のプログラムを有することにより、撮影する条件や撮影時における携帯電話機の状態に応じてそれぞれ最適な条件を使用して撮影することができるので、例えば、ブレやピンぼけのない、クリアな画像を撮影者に提供することが可能になる。
【発明を実施するための最良の形態】
【００１３】
本発明の第一の実施形態であるカメラ付き携帯電話機（以下、携帯電話機という。）の構成を図１ないし図３に基づいて説明する。携帯電話機１は、送話器ユニット（本体）２と受話器ユニット（本体）３とから構成されている。送話器ユニット２及び受話器ユニット３は、ヒンジ４によって取り付けられており、折り畳み自在になるように形成されている。
【００１４】
送話器ユニット２は、送話マイク５、ダイヤルキー６並びに操作手段を構成する第１レリーズボタン７、第１テレ変倍キー（ズーム操作部）８及び第１ワイド変倍キー（ズーム操作部）９を操作面に備えている。また、第１テレ変倍キー８の近傍には四角形状の穴１０が設けられている。ダイヤルキー６は、基本的には通話用あるいはメール送信用の操作部として用いられている。第１レリーズボタン７、第１テレ変倍キー８及び第１ワイド変倍キー９は、携帯電話機１が撮影を行うカメラモードになっているときに、後述するカメラモジュール１５を操作する操作部として用いられている。このとき、第１レリーズボタン７、第１テレ変倍キー８及び第１ワイド変倍キー９は、撮影者が片手で操作できるように配置されている。例えば、撮影者が携帯電話機１を左手で操作する場合には、これらのボタン等は、左手で携帯電話機１をホールドし、かつ左手の親指で第１レリーズボタン７、第１テレ変倍キー８及び第１ワイド変倍キー９の操作ができるように配置されている。
【００１５】
穴１０は、四角形状であって、携帯電話機１が閉状態（第１状態）になった場合に、受話器ユニット３に形成されている後述する突起１６が挿入されるように形成されている。図１には図示していないが、穴１０には、突起１６が挿入されたか否かを検出する図示しないセンサ（検出手段）が設けられている。このセンサによって突起１６が挿入されたか否かを検知して、その検知信号を出力する。なお、このときに使用されるセンサは、突起１６の挿入状態が検知可能なものであれば、どのようなものを使用してもよい。
【００１６】
また、送話器ユニット２は、操作手段としての第２レリーズボタン１１、第２テレ変倍キー１２及び第２ワイド変倍キー１３を備えている。第２レリーズボタン１１は、送話器ユニット２の側面部に設けられている円形状のボタンである。携帯電話機１がカメラモードになっているときに撮影者が第２レリーズボタン１１を押下すると、後述するカメラモジュール１５が撮影動作を行う。第２テレ変倍キー１２及び第２ワイド変倍キー１３は、ダイヤルキー６の一部のキーを使用する。このとき、これらのボタン等は、撮影者が片手で操作できるように配置されている。例えば、携帯電話機１を左手で持った場合には、左手の人差し指で第２レリーズボタン１１を操作し、左手の親指で第２テレ変倍キー１２及び第２ワイド変倍キー１３を操作できるように配置されている。なお、携帯電話機１が開状態になっている場合には、第１レリーズボタン７、第１テレ変倍キー８、第１ワイド変倍キー９を操作してもよいし、第２レリーズボタン１１、第２テレ変倍キー１２、第２ワイド変倍キー１３を操作してもよい。また、これらのうちいずれか一方のみが操作可能な状態になるように切り替えられるようにしてもよい。なお、本実施形態では、第１レリーズボタン７、第１テレ変倍キー８及び第１ワイド変倍キー９は、一対一に対応するように構成されている。したがって、例えば第１テレ変倍キー８又は第１ワイド変倍キー９が操作されている時に、第１レリーズボタン７の操作のみが有効となり、第２レリーズボタン１１の操作は無効となる。
【００１７】
受話器ユニット３は、第１液晶モニタ１４、カメラモジュール１５及び突起１６を前面に備えている。また、受話器ユニット３は、第２液晶モニタ１７、第３テレ変倍キー１８及び第３ワイド変倍キー１９を背面に備えている。第１液晶モニタ１４は、携帯電話機１が開状態になっている場合に、相手先の電話番号等や撮影時における被写体画像を表示する。カメラモジュール１５は、第１液晶モニタ１４の下方に設けられている。なお、カメラモジュール１５の構成については後述する。
【００１８】
突起１６は、四角形状に形成されている。また、突起１６は、受話器ユニット３に近接するベース側よりも先端側の方が若干細くなるように形成されており、携帯電話機１が閉状態になったときに、突起１６が穴１０に挿入されるように形成されている。前述したように、この突起１６が穴１０に挿入されたか否かによって、携帯電話機１が閉状態または開状態のいずれになっているかが判定される。第２液晶モニタ１７は、カメラモジュール１５が撮影するスルー画像や、撮影後の再生画像を表示するように、第３テレ変倍キー１８及び第３ワイド変倍キー１９は、第２レリーズボタン１１と対応付けられている。携帯電話機１が閉状態にある場合には、第３テレ変倍キー１８及び第３ワイド変倍キー１９を使用して変倍操作を行い、第２レリーズボタン１１を押下することによって撮影が行われるようになっている。なお、本実施形態では、第１液晶モニタ１４及び第２液晶モニタ１７に液晶モニタを使用することとしているが、液晶モニタに代えてＥＬ（エレクトロルミネッセンス）ディスプレイなどの電子表示器等を用いてもよい。
【００１９】
次に、本実施形態の携帯電話機１の電気的構成を図３に基づいて説明する。マイクロコンピュータで構成されたシステムコントローラ（制御手段）３０は、データバス３１を介して入力回路３２と接続している。システムコントローラ３０は、入力回路３２に入力される各種入力信号に応答して、撮影レンズ３３、絞り３４、ＣＣＤイメージセンサ３５を備えるカメラモジュール１５の作動を管制する。例えば、第１，第２レリーズボタン７，１１、第１〜第３テレ変倍キー８，１２，１８、第１〜第３ワイド変倍キー９，１３，１９からの入力信号をシステムコントローラ３０が受けると、システムコントローラ３０は、モータドライバ３６に制御信号を出力する。この制御信号を受けたモータドライバ３６は、その制御信号に基づいてレンズモータ３７を駆動させて、撮影レンズ３３をテレ側又はワイド側に移動させる。また、穴１０に設けられたセンサ（検出手段）３８から検知信号をシステムコントローラ３０が受けると、システムコントローラ３０は、第１，第２レリーズボタン７，１１、第１〜第３テレ変倍キー８，１２，１８、第１〜第３ワイド変倍キー９，１３，１９からの入力信号のうち、どの信号を有効化又は無効化するかを判定する。
【００２０】
携帯電話機１をカメラモードに切り替えると、システムコントローラ３０はプログラムＲＯＭ３９に書き込まれた処理プログラムにしたがってカメラモジュール１５を駆動する。カメラモジュール１５が駆動すると、ＣＣＤイメージセンサ３５から画像信号が出力される。このとき、ＣＣＤイメージセンサ３５は、システムコントローラ３０に接続されているタイミングジェネレータ（ＴＧ）４０からタイミング信号が入力されている。このタイミング信号（クロックパルス）により、電子シャッタのシャッタ速度が決定される。
【００２１】
ＣＣＤイメージセンサ３５から順次出力されてくる画像信号は、相関二重サンプリング回路（ＣＤＳ）４１でＣＣＤイメージセンサ３５の各セルの蓄積電荷量に正確に対応したＲ，Ｇ，Ｂの画像データに変換された後にアンプ（ＡＭＰ）４２で適切なレベルに増幅され、Ａ／Ｄコンバータ（Ａ／Ｄ）４３によりデジタル化された画像データに変換される。こうして得られた画像データは、画像データ処理回路４４によって予め定められた画像処理を施された後、内蔵の画像データメモリ４５に一画面ごとの画像データとして順次書き込まれる。画像データメモリ４５に書き込まれた画像データは、システムコントローラ３０からのコマンドにより読み出される。画像データ処理回路４４によるそれぞれの画像処理が加えられた後、画像データはＬＣＤドライバ４６，４７を介して第１液晶モニタ１４、第２液晶モニタ１７での画像表示に用いられる。なお、このとき、システムコントローラ３０は、携帯電話機１の状態に応じて画像データを出力するＬＣＤドライバを選択する。すなわち、携帯電話機１が開状態にある場合には、システムコントローラ３０は、ＬＣＤドライバ４６，４７に画像データを出力し、携帯電話機１が閉状態にある場合には、システムコントローラ３０は、ＬＣＤドライバ４７にのみ画像データを出力する。
【００２２】
入力回路３２は、各種入力信号が入力されたときに、その操作信号をシステムコントローラ３０に出力する。各種入力信号には、例えば、携帯電話機１のモードがカメラモードか否かの判定に使用されるモード信号、携帯電話機１の開閉状態を判定するために使用される検知信号並びに第１〜第３テレ変倍キー８，１２，１８が操作されたときの各テレ変倍信号、第１〜第３ワイド変倍キー９，１３，１９が操作されたときの各ワイド変倍信号及び第１，第２レリーズボタン７，１１が押されたときの各撮影信号がある。これらの信号が入力すると、入力回路３２はデータバス３１を介してシステムコントローラ３０に入力信号を出力する。
【００２３】
プログラムＲＯＭ３９には、３種類のプログラム線図が記録されている。これらのプログラム線図は、例えば図４に示すように設定されている。ここで、第１プログラム線図４８ａは、カメラモードに移行している携帯電話機１が開状態であって、かつ第１レリーズボタン７、第１テレ変倍キー８又は第１ワイド変倍キー９のいずれかから各操作信号が入力回路３２に入力されたときに設定される。また、第２プログラム線図４８ｂは、カメラモードに移行した携帯電話機１が開状態であって、かつ第２レリーズボタン１１、第２テレ変倍キー１２又は第２ワイド変倍キー１３のいずれかから各操作信号が入力回路３２に入力されたときに設定される。さらに、第３プログラム線図４８ｃは、カメラモードに移行した携帯電話機１が閉状態になっているときに設定される。プログラム設定部としても機能するシステムコントローラ３０は、携帯電話機１の開閉状態や各操作信号に基づいて、第１〜第３プログラム線図４８ａ，４８ｂ，４８ｃのうちから最適なものをプログラムＲＯＭ３９から呼び出して、そのプログラム線図で処理を行うように設定する。
【００２４】
測距装置５０は、投光窓及び受光窓とを含み、被写体までの距離を測定する。距離を測定すると、測距装置５０は、距離信号をシステムコントローラ３０に出力する。この距離信号は、カメラモジュール１５でピント合わせ処理を行うときに用いられる。
【００２５】
次に、カメラモード下における携帯電話機１の処理の流れを図５及び図６に基づいて説明する。なお、図５及び図６の説明においては、第１テレ変倍キー８及び第１ワイド変倍キー９を総称して第１ズームボタンという。同様に、第２テレ変倍キー１２及び第２ワイド変倍キー１３を総称して第２ズームボタンと、第３テレ変倍キー１８及び第３ワイド変倍キー１９を総称して第３ズームボタンという。
【００２６】
携帯電話機１がカメラモードに設定されると、システムコントローラ３０は、受話器ユニット３の突起１６が送話器ユニット２の穴１０に挿入されているか否かを検出することによって、携帯電話機１の開閉状態を判定する（ステップＳ１１）。ステップＳ１１において、携帯電話機１が開状態にあるとシステムコントローラ３０が判定した場合には、システムコントローラ３０は、第１，第２レリーズボタン７，１１、第１，第２ズームボタンから出力される各操作信号は有効なものとして処理し、第３ズームボタンから出力される操作信号は無効なものとして処理するように設定を行う。また、かかる場合には、システムコントローラ３０は、第１，第２液晶モニタ１４，１７にスルー画像及び撮影画像を表示するように設定する（ステップＳ１２）。なお、ステップＳ１２における無効化の処理は、撮影者が各ボタンの操作をすることができないようにロックするようにしてもよいし、撮影者が操作することによって各ボタンから出力される操作信号を、入力回路３２又はシステムコントローラ３０で電気的に無効化するようにしてもよい。
【００２７】
次に、システムコントローラ３０は、第１レリーズボタン７又は第１ズームボタンが操作されたか否かを判定する（ステップＳ１３）。ステップＳ１３において第１レリーズボタン７等が操作されたとシステムコントローラ３０が判定した場合には、システムコントローラ３０は、例えば図４に示すような第１プログラム線図４８ａをプログラムＲＯＭ３９から呼び出す。そして、システムコントローラ３０は第１プログラム線図４８ａに基づいて処理を行うように設定を行う（ステップＳ１４）。一方、ステップＳ１３において第２レリーズボタン１１等が操作されたとシステムコントローラ３０が判定した場合には、システムコントローラ３０は、図４に示すような第２プログラム線図４８ｂをプログラムＲＯＭ３９から呼び出す。そして、システムコントローラ３０は、第２プログラム線図４８ｂに基づいて処理を行うように設定を行う（ステップＳ１５）。
【００２８】
一方、ステップＳ１１において、携帯電話機１が閉状態にあるとシステムコントローラ３０が判定した場合には、システムコントローラ３０は、第２レリーズボタン１１及び第３ズームボタンから出力される各操作信号は有効なものとして処理し、第１レリーズボタン７並びに第１ズームボタン及び第２ズームボタンから出力される各操作信号は無効なものとして処理するように設定を行う。また、かかる場合には、システムコントローラ３０は、第２液晶モニタ１７にスルー画像及び撮影画像を表示するように設定する（ステップＳ１６）。次に、システムコントローラ３０は、図４に示すような第３プログラム線図４８ｃをプログラムＲＯＭ３９から呼び出す。そして、システムコントローラ３０は、第３プログラム線図４８ｃに基づいて処理を行うように設定を行う（ステップＳ１７）。
【００２９】
ステップＳ１４、Ｓ１５又はＳ１７において、その後に行う撮影処理のプログラム線図を第１〜第３プログラム線図４７，４８，４９のいずれかに設定し終えると、システムコントローラ３０は、撮影者にフレーミングをさせる（ステップＳ１８）。なお、このフレーミングは、プログラム線図の変更等の処理と並行して行わせることとしてもよい。次に、システムコントローラ３０は、レリーズボタンが押下されたか否かを判定する（ステップＳ１９）。例えば、システムコントローラ３０がステップＳ１２を経由して処理を行ってきたのであれば、ステップＳ１４では、システムコントローラ３０は、第１，第２レリーズボタン７，１１のいずれかが押下されたか否かを判定する。一方、システムコントローラ３０がステップＳ１６を経由して処理を行ってきたのであれば、ステップＳ１９では、システムコントローラ３０は、第２レリーズボタン１１が押下されたか否かを判定する。なお、以下の処理においては、システムコントローラ３０がステップＳ１２を経由して処理を行ってきたものとして説明する。
【００３０】
ステップＳ１９において、第１，第２レリーズボタン７，１１のいずれもが押下されなかったとシステムコントローラ３０が判定した場合には、システムコントローラ３０は、ステップＳ１８の処理を再度行い、一定の周期で第１，第２レリーズボタン７，１１のいずれかが押下されたか否かを判定する（ステップＳ１９）。
【００３１】
一方、ステップＳ１９において、第１，第２レリーズボタン７，１１のいずれかが押下されたとシステムコントローラ３０が判定した場合、すなわち、これらのレリーズボタンから出力された信号をシステムコントローラ３０が受けた場合には、システムコントローラ３０は、撮影を行う（ステップＳ２０）。撮影時には、システムコントローラ３０は、ＣＣＤイメージセンサ３５から受けた映像信号をアナログ信号からデジタルの画像データに変換するようにＡ／Ｄ４２を制御した後、画像データに対して種々の処理を行うように画像データ処理回路４４を制御する。このようにして得られた画像データを、システムコントローラ３０は画像データメモリ４５に記録すると共に（ステップＳ２１）、第１液晶モニタ１４及び第２液晶モニタ１７に表示させる（ステップＳ２２）。
【００３２】
次に、システムコントローラ３０は、継続して撮影するか否かを撮影者に選択させる（ステップＳ２３）。この選択においては、継続して撮影を行うか否かを第１液晶モニタ１４及び第２液晶モニタ１７に表示させて撮影者に選択を行わせる。このとき、システムコントローラ３０は、第１液晶モニタ１４及び第２液晶モニタ１７に表示されている撮影後の被写体画像を縮小表示させて、その余白部分にメッセージを表示する。なお、継続して撮影を行うか否かを報知する手法としては、メッセージを表示する以外の方法であってもよい。また、メッセージを表示する場合には、余白部分を作成して表示する以外の方法であってもよい。
【００３３】
ここで、撮影者が継続して撮影するように操作した場合には、システムコントローラ３０は、処理をステップＳ１１に移行させる。そして、システムコントローラ３０は、上述した流れの処理を再度行う。一方、ステップＳ２３において、撮影者が継続して撮影を行わないとした場合には、撮影に関する一連の処理が終了する。
【００３４】
以上のように、本発明によれば、携帯電話機が開状態の場合であって、第１レリーズボタン等を操作するときには、例えば、左手で携帯電話機をホールドしながら、左手の親指で第１ズームボタン及び第１レリーズボタンの操作を行うことが可能になる。また、第２レリーズボタン等を操作するときには、例えば、左手で携帯電話機をホールドしながら、左手の親指で第２ズームボタンを操作し、左手の人差し指で第２レリーズボタンを操作することができるので、携帯電話機の操作性をより向上させることが可能になる。また、携帯電話機をホールドしながらレリーズボタン等を操作することができるので、フレーミング及び撮影時に生じがちな手ブレを軽減させることが可能になる。
【００３５】
なお、本実施形態では、ダイヤルキーを構成する一部のキーを第２テレ変倍キー及び第２ワイド変倍キーとして使用することとしたが、ダイヤルキーの一部を前述したキーとして使用せずとも、他の場所にボタンを設けることとしても良い。例えば、第２テレ変倍キー及び第２ワイド変倍キーを図７に示すように配設することとしても良い。ここで、図７は、本実施形態の第１の変形例の携帯電話機である。本変形例の携帯電話機５１は、送話器ユニット２の側面部に第２テレ変倍ボタン５２及び第２ワイド変倍ボタン５３を備えている。これらのボタン５２，５３は、第２レリーズボタン１１の近傍に配設されている。このように第２テレ変倍ボタンと第２ワイド変倍ボタンとが配設された携帯電話機を使用する場合には、撮影者が右手で携帯電話機をホールドしながら右手の親指で第２テレ変倍ボタン及び第２ワイド変倍ボタン並びに第２レリーズボタンの操作をすることができる。したがって、フレーミングを決めてから撮影に至るまでの一連の操作を右手の親指だけで行うことができるので、さらにカメラモードにおける携帯電話機の操作性を向上させることが可能になる。
【００３６】
また、第２テレ変倍キー及び第２ワイド変倍キーを図８に示すように構成することも可能である。ここで、図８は、本実施形態の第２の変形例の携帯電話機である。本変形例の携帯電話機６１は、第２レリーズボタン、第２テレ変倍ボタン及び第２ワイド変倍ボタンを一体化させたボタン６２を送話器ユニット２の側面部に備えている。このボタン６２は、中央部を押下すると第２レリーズボタンと同様に撮影を行わせ、中央部よりもヒンジ側の位置を押下するとテレ側に、中央部よりも下端部側の位置を押下するとワイド側に変倍するようになっている。このように携帯電話機に一体化されたボタンが配設されている場合には、例えば、撮影者が右手で携帯電話機をホールドしているときには、右手の親指でボタンを操作して変倍及び撮影が行えるようになる。したがって、フレーミングから撮影に至るまでの操作を右手の親指だけで、携帯電話機をホールドした状態で行うことができるので、さらにカメラモードにおける携帯電話機の操作性を向上させることが可能になる。また、携帯電話機にボタンを配設することによって、携帯電話機の部品点数を減少させることが可能になるので、製造時におけるコストを減らすことも可能になる。
【００３７】
なお、本実施形態では、３種類のプログラム線図をプログラムＲＯＭに記憶させておくこととしたが、プログラムＲＯＭに記憶させておくプログラム線図の種類を増減させてもよいのは勿論である。また、プログラム線図も、図６に示した以外のものを使用を使用してよいのも勿論である。
【００３８】
また、本実施形態では、レリーズボタンを送話器ユニットの側面部や受話器ユニットの背面部等に配設することとしているが、本発明はこれに限定されるものではなく、カメラモードにおいて携帯電話機をホールドしながらレリーズボタン並びにテレ変倍キー及びワイド変倍キーを片手で操作できるのであれば、これらのボタン等を本実施形態と異なる場所に配設することとしてもよい。
【図面の簡単な説明】
【００３９】
【図１】本発明の一形態である携帯電話機の外観を表した外観斜視図である。
【図２】携帯電話機の受話器ユニットの背面部を表した外観斜視図である。
【図３】携帯電話機の電気的構成を表したブロック図である。
【図４】第１プログラム線図、第２プログラム線図及び第３プログラム線図を表した説明図である。
【図５】カメラモード下における携帯電話機の処理の流れを表したフローチャートである。
【図６】カメラモード下における携帯電話機の処理の流れを表したフローチャートである。
【図７】本発明の第１の変形例である携帯電話機の外観を表した外観斜視図である。
【図８】本発明の第２の変形例である携帯電話機の外観を表した外観斜視図である。
【符号の説明】
【００４０】
１，５１，６１  カメラ付き携帯電話機
２  送話器ユニット（本体）
３  受話器ユニット（本体）
７  第１レリーズボタン（レリーズボタン）
８  第１テレ変倍キー（ズーム操作部）
９  第１ワイド変倍キー（ズーム操作部）
１１  第２レリーズボタン（レリーズボタン）
１２，５２  第２テレ変倍キー（ズーム操作部）
１３，５３  第２ワイド変倍キー（ズーム操作部）
１８  第３テレ変倍キー（ズーム操作部）
１９  第３ワイド変倍キー（ズーム操作部）
３０  システムコントローラ（制御手段）
３２  入力回路
３８  センサ（検出手段）
４８ａ  第１プログラム線図（プログラム線図）
４８ｂ  第２プログラム線図（プログラム線図）
４８ｃ  第３プログラム線図（プログラム線図）
６２  ボタン
【図１】
2007133028.tif 000003
【図２】
2007133028.tif 000004
【図３】
2007133028.tif 000005
【図４】
2007133028.tif 000006
【図５】
2007133028.tif 000007
【図６】
2007133028.tif 000008
【図７】
2007133028.tif 000009
【図８】
2007133028.tif 000010